(57)【要約】【課題】切替室の容量を大きくしても、その切替室の内部の温度を適切に管理することができる冷蔵庫を提供する。【解決手段】冷蔵庫１は、圧縮機７１、凝縮器７２、膨張装置７３及び冷却器７４が配管で接続され、冷媒が流通する冷媒回路７０と、内部の温度が冷蔵温度帯に設定された冷蔵室２０と、冷蔵室２０の下段に設けられ、内部の温度が冷蔵温度帯よりも低い冷凍温度帯に設定された冷凍室３０と、冷凍室３０の下段に設けられ、内部の温度が冷蔵温度帯から冷凍温度帯までの範囲で切り替え自在に設定された切替室４０と、を有する。【選択図】図４
2015117882.tif 000002
【特許請求の範囲】
【請求項１】
圧縮機、凝縮器、膨張装置及び冷却器が配管で接続され、冷媒が流通する冷媒回路と、
内部の温度が冷蔵温度帯に設定された冷蔵室と、
前記冷蔵室の下段に設けられ、内部の温度が前記冷蔵温度帯よりも低い冷凍温度帯に設定された冷凍室と、
前記冷凍室の下段に設けられ、内部の温度が前記冷蔵温度帯から前記冷凍温度帯までの範囲で切り替え自在に設定された切替室と、を有する
ことを特徴とする冷蔵庫。
【請求項２】
前記冷蔵室、前記冷凍室又は前記切替室の内部の温度を、予め決められた温度に制御する制御部を更に有し、
前記制御部は、
前記切替室で設定された目標切替室温度が、冷凍温度帯であるか否かを判定する切替判定手段と、
前記目標切替室温度が冷凍温度帯であることが前記切替判定手段で判定された場合、前記切替室の内部の温度を、前記目標切替室温度に到達させる運転制御手段と、を有する
ことを特徴とする請求項１記載の冷蔵庫。
【請求項３】
前記運転制御手段は、
前記目標切替室温度が冷凍温度帯であることが前記切替判定手段で判定された場合、前記冷凍室で設定された目標冷凍室温度を低下させる目標冷凍室温度低下手段を有する
ことを特徴とする請求項２記載の冷蔵庫。
【請求項４】
前記冷凍室の内部の温度を検出する冷凍温度検出部と、
前記切替室の内部の温度を検出する切替温度検出部と、を更に有し、
前記運転制御手段は、
前記目標切替室温度が冷凍温度帯であることが前記切替判定手段で判定された場合、前記切替温度検出部で検出された前記切替室の内部の温度に基づいて、前記圧縮機の動作を制御する制御対象検出部変更手段を有する
ことを特徴とする請求項２記載の冷蔵庫。
【請求項５】
前記冷凍室の内部の温度を検出する冷凍温度検出部を更に有し、
前記切替判定手段は、
前記目標切替室温度が冷凍温度帯、冷蔵温度帯又は冷凍温度帯と冷蔵温度帯との間の軟冷凍温度帯であるか否かを判定するものであり、
前記運転制御手段は、
前記冷凍温度検出部で検出された前記冷凍室の内部の温度、及び、前記切替判定手段で判定された前記目標切替室温度の温度帯に基づいて、前記圧縮機の動作を制御する圧縮機制御手段を有する
ことを特徴とする請求項２記載の冷蔵庫。
【請求項６】
前記切替室の温度を調節するヒータを更に有する
ことを特徴とする請求項１〜５のいずれか１項に記載の冷蔵庫。
【請求項７】
前記冷蔵室、前記冷凍室及び前記切替室に空気を送風する送風機と、
前記切替室に流入する前記送風機の風量を調節して、前記切替室の温度を調節するダンパと、を更に有する
ことを特徴とする請求項１〜６のいずれか１項に記載の冷蔵庫。
【請求項８】
内部の温度が前記冷蔵温度帯から前記冷凍温度帯までの範囲で切り替え自在に設定され、前記切替室よりも容量が小さい副切替室を更に有する
ことを特徴とする請求項１〜７のいずれか１項に記載の冷蔵庫。
【請求項９】
前記切替室における幅方向の長さは、
前記冷凍室における幅方向の長さと同一である
ことを特徴とする請求項１〜８のいずれか１項に記載の冷蔵庫。
【発明の詳細な説明】
【技術分野】
【０００１】
本発明は、切替室を備える冷蔵庫に関する。
【背景技術】
【０００２】
複数の貯蔵室を備える冷蔵庫として、従来から、容量が大きい冷蔵室、冷凍室及び野菜室と、容量が小さい製氷室とを備える冷蔵庫が製品化されている。また、特許文献１及び特許文献２には、容量が大きい冷蔵室、冷凍室及び野菜室と、容量が小さい製氷室とに加え、更に、内部の温度が冷蔵温度帯から冷凍温度帯まで切り替えることができ、容量が小さい切替室を備える冷蔵庫が開示されている。
【先行技術文献】
【特許文献】
【０００３】
【特許文献１】特許第３２１２９５４号公報（第５頁）
【特許文献２】特開２００１−３３１４４号公報（第２頁）
【発明の概要】
【発明が解決しようとする課題】
【０００４】
しかしながら、近年、利用者によって生活スタイルが異なり、なかでも、夏場において、冷凍室に食品等が収容される頻度が高いため、この夏場のような暑い時期に、冷凍室の容量が不足することを懸念する家庭が増加している。また、居住する地域の環境によっても、冷蔵庫のニーズは変化する。更に、冷凍室の容量不足を補うために、切替室を冷凍温度帯に設定して使用しようとしても、特許文献１及び特許文献２に開示されたような冷蔵庫は、切替室の容量が小さく、冷凍室の容量不足を補うものとして、不十分である。
【０００５】
更に、これらの特許文献１及び特許文献２においては、切替室の容量が小さく、切替室の内部における温度ばらつきも小さいため、厳密な温度管理は不要である。しかし、切替室の容量を大きくしようとすると、それに伴って、切替室の内部における温度ばらつきも大きくなっていくため、精密な温度の制御が必要となる。
【０００６】
本発明は、上記のような課題を背景としてなされたもので、切替室の容量を大きくしても、その切替室の内部の温度を適切に管理することができる冷蔵庫を提供するものである。
【課題を解決するための手段】
【０００７】
本発明に係る冷蔵庫は、圧縮機、凝縮器、膨張装置及び冷却器が配管で接続され、冷媒が流通する冷媒回路と、内部の温度が冷蔵温度帯に設定された冷蔵室と、冷蔵室の下段に設けられ、内部の温度が冷蔵温度帯よりも低い冷凍温度帯に設定された冷凍室と、冷凍室の下段に設けられ、内部の温度が冷蔵温度帯から冷凍温度帯までの範囲で切り替え自在に設定された切替室と、を有することを特徴とする。
【発明の効果】
【０００８】
本発明によれば、制御部が、切替室の内部の温度を、予め決められた温度に制御する。このため、切替室の容量を大きくしても、その切替室の内部の温度を適切に管理することができる。
【図面の簡単な説明】
【０００９】
【図１】実施の形態１に係る冷蔵庫１を示す正面図である。
【図２】実施の形態１における冷凍室３０を示す正面断面図である。
【図３】実施の形態１における切替室４０を示す正面断面図である。
【図４】実施の形態１に係る冷蔵庫１を示す側面断面図であり、図１のＡ−Ａ断面図である。
【図５】実施の形態１に係る冷凍室３０及び切替室４０を示す側面断面図である。
【図６】実施の形態１における制御部１０を示すブロック図である。
【図７】実施の形態１に係る冷蔵庫１の動作を示すフローチャートである。
【図８】実施の形態２における制御部１１０を示すブロック図である。
【図９】実施の形態２に係る冷蔵庫１００の動作を示すフローチャートである。
【図１０】実施の形態３における制御部２１０を示すブロック図である。
【図１１】実施の形態３に係る冷蔵庫２００の動作を示すフローチャートである。
【図１２】変形例に係る冷蔵庫３００を示す正面図である。
【発明を実施するための形態】
【００１０】
以下、本発明に係る冷蔵庫の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
実施の形態１．
図１は、実施の形態１に係る冷蔵庫１を示す正面図である。この図１に基づいて、冷蔵庫１について説明する。図１に示すように、冷蔵庫１は、冷蔵室２０と、冷凍室３０と、切替室４０と、製氷室５０と、副切替室６０とを備えている。冷蔵室２０は、冷蔵庫１の貯蔵室において、最上段に設置されており、内部の温度が冷蔵温度帯に設定されている。この冷蔵温度帯は、例えば０℃以上である。
【００１２】
冷蔵室２０の下段には、製氷室５０及び副切替室６０が冷蔵庫１の幅方向（矢印Ｘ方向）に並列に設置されている。このうち、製氷室５０は、氷を貯蔵するものであり、引き出しドアを備えている。また、副切替室６０は、内部の温度が、冷蔵温度帯よりも低い温度帯である冷凍温度帯（−１８℃以下）、軟冷凍温度（−７℃）、チルド（０℃）、冷蔵温度（５℃）等の各温度に切り替え自在に設定されるものである。この副切替室６０も、製氷室５０と同様に、引き出しドアを備えている。
【００１３】
製氷室５０及び副切替室６０の下段には、冷凍室３０が設置されており、この冷凍室３０は、内部の温度が冷凍温度帯（−１８℃以下）に設定されている。図２は、実施の形態１における冷凍室３０を示す正面断面図である。図２に示すように、冷凍室３０には、例えばその内壁に、冷凍温度検出部３１が設置されている。この冷凍温度検出部３１は、冷凍室３０の内部の温度を検出するものであり、例えばサーミスタで構成されている。
【００１４】
また、冷凍温度検出部３１の近傍には、冷凍開口部３２が設けられており、この冷凍開口部３２は、冷凍室３０の後方に形成された風路２から、冷気を導入するものである。冷凍室３０においては、冷凍温度検出部３１が、冷凍開口部３２から導入される冷気が直接当たらない位置に設置されている。例えば、これらの冷凍温度検出部３１及び冷凍開口部３２は、冷蔵庫１の幅方向（矢印Ｘ方向）及び高さ方向（矢印Ｚ方向）において互いに直接隣接していない。即ち、冷凍開口部３２に、例えば仕切り板を設け、この仕切り板を介して冷凍温度検出部３１と冷凍開口部３２とが隣接している。また、冷凍開口部３２は、複数形成されていてもよい。
【００１５】
そして、図１に示すように、冷凍室３０の下段であり、冷蔵庫１の貯蔵室における最下段には、切替室４０が設置されている。この切替室４０は、内部の温度が、冷凍温度帯（−１８℃以下）、軟冷凍温度（−７℃）、冷蔵温度（５℃）の各温度に切り替え自在に設定されており、副切替室６０よりも容量が大きい。図３は、実施の形態１における切替室４０を示す正面断面図である。図３に示すように、切替室４０には、例えばその内壁に、切替温度検出部４１が設置されている。この切替温度検出部４１は、例えばサーミスタで構成されており、切替室４０の内部の温度を検出するものである。
【００１６】
また、切替温度検出部４１の近傍には、切替開口部４２が２個設けられており、この切替開口部４２は、切替室４０の後方に形成された風路２から、冷気を導入するものである。なお、切替室４０は、冷凍温度帯のみではなく、冷凍温度帯よりも高い冷蔵温度帯まで許容するものであるため、冷凍室３０ほど冷気を導入する必要はない。このため、この切替開口部４２は、２個の開口面積を加算しても、冷凍開口部３２よりも開口面積が小さい。
【００１７】
切替室４０においては、切替温度検出部４１が、切替開口部４２から導入される冷気が直接当たらない位置に設置されている。例えば、これらの切替温度検出部４１及び切替開口部４２は、冷蔵庫１の幅方向（矢印Ｘ方向）及び高さ方向（矢印Ｚ方向）において互いに直接隣接していない。即ち、切替開口部４２に、例えば仕切り板を設け、この仕切り板を介して切替温度検出部４１と切替開口部４２とが隣接している。なお、この切替室４０は、内部の温度が、冷蔵温度帯（０℃以上）から冷凍温度帯までの範囲で切り替え自在に設定されてもよい。また、切替開口部４２は、１個でもよく、３個以上形成されていてもよい。
【００１８】
これらの各貯蔵室の容量は、冷蔵室２０がもっとも大きく、冷凍室３０、切替室４０、副切替室６０、の順に小さくなり、製氷室５０がもっとも小さい。なお、切替室４０における幅方向の長さは、冷凍室３０、冷蔵室２０における幅方向の長さと同一である。更に、冷蔵庫１において、製氷室５０及び副切替室６０を省略してもよい。この場合、冷蔵庫１は、冷蔵室２０と、冷蔵室２０の下段に設けられた冷凍室３０と、冷凍室３０の下段に設けられた切替室４０とから構成される。
【００１９】
図４は、実施の形態１に係る冷蔵庫１を示す側面断面図であり、図１のＡ−Ａ断面図である。図４に示すように、冷蔵庫１の底部且つ後部には、冷媒を圧縮する圧縮機７１が設置されている。そして、冷蔵室２０、副切替室６０、冷凍室３０及び切替室４０の後方には、冷気が流通する風路２が形成されており、この風路２における下方には、冷却器７４が設けられている。この冷却器７４は、圧縮機７１、凝縮器７２及び膨張装置７３に配管で接続されており、これにより、冷媒が流通する冷媒回路７０が構成されている。
【００２０】
冷媒回路７０においては、圧縮機７１から吐出された冷媒が、凝縮器７２に流通する。そして、凝縮器７２において、冷媒と空気等とが熱交換されて、冷媒が凝縮される。この凝縮された冷媒が、膨張装置７３に流通し、膨張される。そして、膨張された冷媒が、冷却器７４に流通し、風路２の空気と熱交換され、風路２の空気が冷却されると共に、冷媒が蒸発される。そして、蒸発された冷媒が、再び圧縮機７１に吸入される。ここで、冷却器７４で冷却された空気が、冷蔵庫１の風路２に流通し、各貯蔵室に流入する。
【００２１】
なお、風路２において、冷却器７４の上方には、送風機９０が設けられており、この送風機９０は、冷凍室３０及び切替室４０に空気を送風するものである。この送風機９０の送風方向は、例えば冷凍室３０に向けられている。また、冷蔵庫１には、制御部１０が設けられており、この制御部１０は、冷蔵室２０、冷凍室３０、切替室４０等の内部の温度を、予め決められた温度に制御する。
【００２２】
図５は、実施の形態１に係る冷凍室３０及び切替室４０を示す側面断面図である。図５に示すように、切替室４０と風路２とは、ダンパ９１で区切られており、このダンパ９１は、開閉することにより、切替室４０に流入する送風機９０からの冷気の風量を調節して、切替室４０の温度を調節するものである。更に、切替室４０の上壁の後部及び下壁の後部には、夫々上壁ヒータ８０ａ及び下壁ヒータ８０ｂが設けられている。これらの上壁ヒータ８０ａ及び下壁ヒータ８０ｂは、切替室４０の温度を調節するものである。
【００２３】
切替室４０の内部の温度が冷凍温度帯よりも高い冷蔵温度帯等に設定されているとき、風路２から導入される冷気によって、切替室４０の内部の温度が、過剰に低下する場合がある。上壁ヒータ８０ａ及び下壁ヒータ８０ｂは、この過剰に低下した切替室４０の内部の温度を、逆に上昇させて、適切な温度に調節する。なお、風路２は、切替室４０の後方に形成されているため、切替室４０の後方は、前方よりも更に過剰に冷却され易い。このため、これらの上壁ヒータ８０ａ及び下壁ヒータ８０ｂは、切替室４０の後方に設置されている。なお、ヒータは、１個でもよく、３個以上設けられていてもよい。
【００２４】
また、各貯蔵室に、温度検出手段、ダンパ、ヒータを設置してもよく、この場合、各貯蔵室の温度は、各貯蔵室に設置された温度検出手段によって検出され、各貯蔵室で設定された目標温度に到達するように、圧縮機７１の運転速度等、送風機９０の送風量、ダンパの開度、ヒータの通電率等が調整される。
【００２５】
図６は、実施の形態１における制御部１０を示すブロック図である。制御部１０は、通常、冷凍温度検出部３１で検出された冷凍室３０の内部の温度に基づいて、圧縮機７１の運転速度又は運転周波数等を制御している。図６に示すように、制御部１０は、切替判定手段１１と運転制御手段１２とを備えている。
【００２６】
切替判定手段１１は、切替室４０で設定された目標切替室温度ＴＳが冷凍温度帯であるか否かを判定するものである。また、運転制御手段１２は、切替室４０の内部の温度を、目標切替室温度ＴＳに到達させるものであり、目標冷凍室温度低下手段１２ａを備えている。この、目標冷凍室温度低下手段１２ａは、目標切替室温度ＴＳが冷凍温度帯であることが切替判定手段１１で判定された場合、冷凍室３０で設定された目標冷凍室温度ＴＦを低下させるものである。そして、目標冷凍室温度低下手段１２ａは、冷凍室３０の内部の温度が目標冷凍室温度ＴＦに到達するように、圧縮機７１を制御する。例えば、通常の動作における冷凍室３０の目標冷凍室温度ＴＦを−１８℃とすると、これを−２０℃に低下させる。このように、本実施の形態１では、目標冷凍室温度低下手段１２ａが、シフトダウン制御を行っている。
【００２７】
次に、本実施の形態１における冷蔵庫１の動作について説明する。図７は、実施の形態１に係る冷蔵庫１の動作を示すフローチャートである。図７に示すように、制御部１０は、冷凍室３０の温度に基づいて、圧縮機７１を制御している（ステップＳ１）。具体的には、制御部１０は、冷凍室３０の温度と目標冷凍室温度ＴＦとを比較して、その差分を埋めるように圧縮機７１を制御する。そして、切替判定手段１１によって、目標切替室温度ＴＳが冷凍温度帯であるか否かが判定される（ステップＳ２）。
【００２８】
ステップＳ２において、目標切替室温度ＴＳが冷蔵温度帯、例えば５℃であることが判定された場合、ステップＳ３に進む。切替室４０の内部の温度が目標切替室温度ＴＳよりも高い場合、ダンパ９１が半開にされ、切替室４０の内部の温度が目標切替室温度ＴＳよりも低い場合、ダンパ９１が全閉される（ステップＳ３）。また、切替室４０の内部の温度が目標切替室温度ＴＳよりも低い場合、ダンパ９１の全閉に加え、更に、上壁ヒータ８０ａ及び下壁ヒータ８０ｂが使用されて温度の調整が行われる（ステップＳ４）。その後、動作が継続される。
【００２９】
一方、ステップＳ２において、目標切替室温度ＴＳが冷凍温度帯と冷蔵温度帯との間の温度帯である軟冷凍温度帯、例えば−７℃であることが判定された場合、ステップＳ５に進む。切替室４０の内部の温度が目標切替室温度ＴＳよりも高い場合、ダンパ９１が半開にされ、切替室４０の内部の温度が目標切替室温度ＴＳよりも低い場合、ダンパ９１が全閉される（ステップＳ５）。また、切替室４０の内部の温度が目標切替室温度ＴＳよりも低い場合、ダンパ９１の全閉に加え、更に、上壁ヒータ８０ａ及び下壁ヒータ８０ｂが使用されて温度の調整が行われる（ステップＳ６）。その後、動作が継続される。なお、ステップＳ５及びステップＳ６は、ステップＳ３及びステップＳ４と同様である。
【００３０】
ステップＳ２において、目標切替室温度ＴＳが冷凍温度帯、例えば−１８℃であることが判定された場合、ステップＳ７に進む。ステップＳ７では、目標冷凍室温度低下手段１２ａが、冷凍室３０で設定された目標冷凍室温度ＴＦを低下させる。そして、ダンパ９１が全開され、切替開口部４２から冷気が最大限に取り込まれる（ステップＳ８）。その後、動作が継続される。
【００３１】
このように、本実施の形態１における制御部１０は、冷蔵室２０、冷凍室３０又は切替室４０の内部の温度を、予め決められた温度に制御する。このため、切替室４０の容量を大きくしても、その切替室４０の内部の温度を適切に管理することができる。これにより、利用者の生活スタイルに適合する冷蔵庫１が実現できる。
【００３２】
また、本実施の形態１では、冷蔵庫１の上段から、冷蔵室２０、冷凍室３０及び切替室４０が、この順序で配置されており、冷蔵室２０と冷凍室３０との間に製氷室５０及び副切替室６０が配置されている。従って、切替室４０の目標切替室温度ＴＳが冷凍温度帯である場合、最上段の冷蔵室２０以外は、いずれの貯蔵室も、冷蔵温度帯よりも低温に設定される。このように、切替室４０の目標切替室温度ＴＳが冷凍温度帯である場合、上段の冷蔵室２０と、それよりも低温の貯蔵室とが区画される。このため、冷蔵庫１に使用される断熱材は、主に、温度領域が区画された冷蔵室２０と製氷室５０及び副切替室６０との間に設ければよく、冷蔵庫１全体における断熱材の使用量を削減することができる。
【００３３】
また、目標切替室温度ＴＳが冷凍温度帯である場合、目標冷凍室温度低下手段１２ａが、冷凍室３０で設定された目標冷凍室温度ＴＦを低下させる。前述の如く、切替室４０は、冷凍温度帯だけではなく、冷凍温度帯よりも高い冷蔵温度帯まで許容するものであるため、切替開口部４２が狭く、冷凍室３０よりも冷え難い。このため、冷凍室３０の目標冷凍室温度ＴＦと、切替室４０の目標切替室温度ＴＳとが同じ場合、冷凍室３０が目標冷凍室温度ＴＦに到達しても、切替室４０は目標切替室温度ＴＳまで到達しない虞がある。
【００３４】
これに対し、本実施の形態１では、目標冷凍室温度低下手段１２ａが、冷凍室３０で設定された目標冷凍室温度ＴＦを低下させるため、冷凍室３０の目標冷凍室温度ＴＦの方が、切替室４０の目標切替室温度ＴＳよりも高い。このため、冷凍室３０が目標冷凍室温度ＴＦに到達すると共に、切替室４０も目標切替室温度ＴＳに到達する。このように、本実施の形態１は、切替室４０の内部の温度を適切に制御することができる。なお、目標冷凍室温度ＴＦが低下することにより、冷凍室３０の内部の温度は、通常よりも冷却されるが、食品を冷凍する上では、冷凍室３０の内部の温度が低下しても問題はない。
【００３５】
実施の形態２．
次に、本実施の形態２に係る冷蔵庫１００について説明する。図８は、実施の形態２における制御部１１０を示すブロック図である。本実施の形態２は、運転制御手段１１２が、制御対象検出部変更手段１１２ａを備えている点で、実施の形態１と相違する。本実施の形態２では、実施の形態１と共通する部分は同一の符号を付して説明を省略し、実施の形態１との相違点を中心に説明する。
【００３６】
図８に示すように、運転制御手段１１２は、制御対象検出部変更手段１１２ａを備えている。この制御対象検出部変更手段１１２ａは、目標切替室温度ＴＳが冷凍温度帯であることが切替判定手段１１で判定された場合、冷凍温度検出部３１で検出された冷凍室３０の内部の温度ではなく、切替温度検出部４１で検出された切替室４０の内部の温度に基づいて、圧縮機７１の動作を制御するものである。このように、制御対象検出部変更手段１１２ａは、圧縮機７１の制御に使用する温度検出部を、冷凍温度検出部３１から切替温度検出部４１に変更している。
【００３７】
次に、本実施の形態２における冷蔵庫１００の動作について説明する。図９は、実施の形態２に係る冷蔵庫１００の動作を示すフローチャートである。図９に示すように、制御部１１０は、冷凍室３０の温度に基づいて、圧縮機７１を制御している（ステップＳ１１）。具体的には、制御部１１０は、冷凍室３０の温度と目標冷凍室温度ＴＦとを比較して、その差分を埋めるように圧縮機７１を制御する。そして、切替判定手段１１によって、目標切替室温度ＴＳが冷凍温度帯であるか否かが判定される（ステップＳ１２）。
【００３８】
ステップＳ１２において、目標切替室温度ＴＳが冷蔵温度帯、例えば５℃であることが判定された場合、ステップＳ１３に進む。切替室４０の内部の温度が目標切替室温度ＴＳよりも高い場合、ダンパ９１が半開にされ、切替室４０の内部の温度が目標切替室温度ＴＳよりも低い場合、ダンパ９１が全閉される（ステップＳ１３）。また、切替室４０の内部の温度が目標切替室温度ＴＳよりも低い場合、ダンパ９１の全閉に加え、更に、上壁ヒータ８０ａ及び下壁ヒータ８０ｂが使用されて温度の調整が行われる（ステップＳ１４）。その後、動作が継続される。なお、ステップＳ１３及びステップＳ１４は、実施の形態１におけるステップＳ３及びステップＳ４と同様である。
【００３９】
一方、ステップＳ１２において、目標切替室温度ＴＳが軟冷凍温度帯、例えば−７℃であることが判定された場合、ステップＳ１５に進む。切替室４０の内部の温度が目標切替室温度ＴＳよりも高い場合、ダンパ９１が半開にされ、切替室４０の内部の温度が目標切替室温度ＴＳよりも低い場合、ダンパ９１が全閉される（ステップＳ１５）。また、切替室４０の内部の温度が目標切替室温度ＴＳよりも低い場合、ダンパ９１の全閉に加え、更に、上壁ヒータ８０ａ及び下壁ヒータ８０ｂが使用されて温度の調整が行われる（ステップＳ１６）。その後、動作が継続される。なお、ステップＳ１５及びステップＳ１６は、ステップＳ１３及びステップＳ１４と同様である。
【００４０】
ステップＳ１２において、目標切替室温度ＴＳが冷凍温度帯、例えば−１８℃であることが判定された場合、ステップＳ１７に進む。ステップＳ１７では、制御部１１０によって、冷凍温度検出部３１で検出された冷凍室３０の内部の温度に基づいた圧縮機７１の制御が中断される。そして、制御対象検出部変更手段１１２ａが、切替温度検出部４１で検出された切替室４０の内部の温度に基づいて、圧縮機７１の動作を制御する（ステップＳ１８）。そして、ダンパ９１が全開され、切替開口部４２から冷気が最大限に取り込まれる（ステップＳ１９）。その後、動作が継続される。
【００４１】
このように、本実施の形態２では、制御対象検出部変更手段１１２ａが、切替温度検出部４１で検出された切替室４０の内部の温度に基づいて、圧縮機７１の動作を制御する。実施の形態１で説明したように、冷凍室３０の目標冷凍室温度ＴＦと、切替室４０の目標切替室温度ＴＳとが同じ場合、冷凍室３０が目標冷凍室温度ＴＦに到達しても、切替室４０は目標切替室温度ＴＳまで到達しない虞がある。
【００４２】
本実施の形態２では、制御対象検出部変更手段１１２ａが、切替温度検出部４１で検出された切替室４０の内部の温度に基づいて、圧縮機７１の動作を制御するため、切替室４０の内部の温度を、適切に目標切替室温度ＴＳまで到達させることができる。なお、このように切替室４０が適切に冷却されるため、冷凍室３０の内部の温度は、目標冷凍室温度ＴＦよりも若干過剰に冷却されるが、食品を冷凍する上では、冷凍室３０の内部の温度が低下しても問題はない。
【００４３】
実施の形態３．
次に、本実施の形態３に係る冷蔵庫２００について説明する。図１０は、実施の形態３における制御部２１０を示すブロック図である。本実施の形態３は、運転制御手段２１２が、圧縮機制御手段２１２ａを備えている点で、実施の形態１と相違する。本実施の形態３では、実施の形態１と共通する部分は同一の符号を付して説明を省略し、実施の形態１との相違点を中心に説明する。
【００４４】
図１０に示すように、運転制御手段２１２は、圧縮機制御手段２１２ａを備えている。この圧縮機制御手段２１２ａは、冷凍温度検出部３１で検出された冷凍室３０の内部の温度、及び、切替判定手段１１で判定された目標切替室温度ＴＳの温度帯に基づいて、圧縮機７１の動作を制御するものである。
【００４５】
次に、本実施の形態３における冷蔵庫２００の動作について説明する。図１１は、実施の形態３に係る冷蔵庫２００の動作を示すフローチャートである。図１１に示すように、制御部２１０は、冷凍室３０の温度に基づいて、圧縮機７１を制御している（ステップＳ２１）。具体的には、制御部２１０は、冷凍室３０の温度と目標冷凍室温度ＴＦとを比較して、その差分を埋めるように圧縮機７１を制御する。そして、切替判定手段１１によって、目標切替室温度ＴＳが冷凍温度帯、冷蔵温度帯又は軟冷凍温度帯であるか否かが判定される（ステップＳ２２）。
【００４６】
ステップＳ２２において、目標切替室温度ＴＳが冷蔵温度帯、例えば５℃であることが判定された場合、ステップＳ２３に進む。ステップＳ２３では、圧縮機制御手段２１２ａが、冷凍室３０の内部の温度に加え、更に、切替判定手段１１で判定された目標切替室温度ＴＳの温度帯、即ち、冷蔵温度帯に基づいて、圧縮機７１の運転速度等を制御する。
【００４７】
そして、切替室４０の内部の温度が目標切替室温度ＴＳよりも高い場合、ダンパ９１が半開にされ、切替室４０の内部の温度が目標切替室温度ＴＳよりも低い場合、ダンパ９１が全閉される（ステップＳ２４）。また、切替室４０の内部の温度が目標切替室温度ＴＳよりも低い場合、ダンパ９１の全閉に加え、更に、上壁ヒータ８０ａ及び下壁ヒータ８０ｂが使用されて温度の調整が行われる（ステップＳ２５）。その後、動作が継続される。なお、ステップＳ２４及びステップＳ２５は、実施の形態１におけるステップＳ３及びステップＳ４と同様である。
【００４８】
一方、ステップＳ２２において、目標切替室温度ＴＳが軟冷凍温度帯、例えば−７℃であることが判定された場合、ステップＳ２６に進む。ステップＳ２６では、圧縮機制御手段２１２ａが、冷凍室３０の内部の温度に加え、更に、切替判定手段１１で判定された目標切替室温度ＴＳの温度帯、即ち、軟冷凍温度帯に基づいて、圧縮機７１の運転速度等を制御する。
【００４９】
そして、切替室４０の内部の温度が目標切替室温度ＴＳよりも高い場合、ダンパ９１が半開にされ、切替室４０の内部の温度が目標切替室温度ＴＳよりも低い場合、ダンパ９１が全閉される（ステップＳ２７）。また、切替室４０の内部の温度が目標切替室温度ＴＳよりも低い場合、ダンパ９１の全閉に加え、更に、上壁ヒータ８０ａ及び下壁ヒータ８０ｂが使用されて温度の調整が行われる（ステップＳ２８）。その後、動作が継続される。なお、ステップＳ２７及びステップＳ２８は、ステップＳ２４及びステップＳ２５と同様である。
【００５０】
ステップＳ２２において、目標切替室温度ＴＳが冷凍温度帯、例えば−１８℃であることが判定された場合、ステップＳ２９に進む。ステップＳ２９では、圧縮機制御手段２１２ａが、冷凍室３０の内部の温度に加え、更に、切替判定手段１１で判定された目標切替室温度ＴＳの温度帯、即ち、冷凍温度帯に基づいて、圧縮機７１の運転速度等を制御する。そして、ダンパ９１が全開され、切替開口部４２から冷気が最大限に取り込まれる（ステップＳ３０）。その後、動作が継続される。
【００５１】
このように、本実施の形態３では、圧縮機制御手段２１２ａが、冷凍温度検出部３１で検出された冷凍室３０の内部の温度、及び、切替判定手段１１で判定された目標切替室温度ＴＳの温度帯に基づいて、圧縮機７１の動作を制御する。このため、切替室４０の目標切替室温度ＴＳが、いずれの温度帯に設定されても、対応する温度帯に適切に制御することができる。
【００５２】
なお、本発明は、上記の実施の形態に限られない。図１２は、変形例に係る冷蔵庫３００を示す正面図である。図１２に示すように、冷蔵庫３００の貯蔵室において、副切替室６０の代わりに、軟冷凍室３６０を設けてもよい。この場合、軟冷凍室３６０の軟冷凍温度は、例えば−７℃である。
【符号の説明】
【００５３】
１  冷蔵庫、２  風路、１０  制御部、１１  切替判定手段、１２  運転制御手段、１２ａ  目標冷凍室温度低下手段、２０  冷蔵室、３０  冷凍室、３１  冷凍温度検出部、３２  冷凍開口部、４０  切替室、４１  切替温度検出部、４２  切替開口部、５  製氷室、６０  副切替室、７０  冷媒回路、７１  圧縮機、７２  凝縮器、７３  膨張装置、７４  冷却器、８０ａ  上壁ヒータ、８０ｂ  下壁ヒータ、９０  送風機、９１  ダンパ、１００  冷蔵庫、１１０  制御部、１１２  運転制御手段、１１２ａ  制御対象検出部変更手段、２００  冷蔵庫、２１０  制御部、２１２  運転制御手段、２１２ａ  圧縮機制御手段、３００  冷蔵庫、３６０  軟冷凍室、ＴＦ  目標冷凍室温度、ＴＳ  目標切替室温度。
【図１】
2015117882.tif 000003
【図２】
2015117882.tif 000004
【図３】
2015117882.tif 000005
【図４】
2015117882.tif 000006
【図５】
2015117882.tif 000007
【図６】
2015117882.tif 000008
【図７】
2015117882.tif 000009
【図８】
2015117882.tif 000010
【図９】
2015117882.tif 000011
【図１０】
2015117882.tif 000012
【図１１】
2015117882.tif 000013
【図１２】
2015117882.tif 000014